(57)【要約】【課題】電源装置の部品点数の削減・軽量化を実現し、消費電力を削減することで電源の効率を高め、メモリへの安定した電源供給を実現できる電源装置を提供する。【解決手段】本発明の電源装置は、主電源と、副電源と、主電源の電源電圧と前記副電源の電源電圧とを入力し、どちらか一方の電圧が所定の電圧以上であれば基準電圧を出力する基準電圧源と、前記主電源の電源電圧と前記基準電圧とを入力して定電圧を出力する少なくとも１つの第１の定電圧電源回路と、前記副電源の電源電圧と前記基準電圧とを入力して定電圧を出力する少なくとも１つの第２の定電圧電源回路と、を有する。【選択図】図１
2005348503.tif 000002
【特許請求の範囲】
【請求項１】
主電源と、
副電源と、
主電源の電源電圧と前記副電源の電源電圧とを入力し、どちらか一方の電圧が所定の電圧以上であれば基準電圧を出力する基準電圧源と、
前記主電源の電源電圧と前記基準電圧とを入力して定電圧を出力する少なくとも１つの第１の定電圧電源回路と、
前記副電源の電源電圧と前記基準電圧とを入力して定電圧を出力する少なくとも１つの第２の定電圧電源回路と、
を有する電源装置。
【請求項２】
主電源の電源電圧が所定の閾値以下になったことを検知して、検知信号を出力する電圧比較器と、
前記検知信号に応じて、前記第１の定電圧電源回路が前記基準電圧を入力する経路を遮断するスイッチと、
を有する請求項１に記載の電源装置。
【請求項３】
主電源の電源電圧が所定の閾値以下になったことを検知し、いったん検知すると主電源の電源電圧にかかわらず電源を遮断されるまで検知信号を出力するリセット回路と、
前記検知信号に応じて、前記第１の定電圧電源回路が前記基準電圧を入力する経路を遮断するスイッチと、
を有する請求項１に記載の電源装置。
【請求項４】
主電源と、
副電源と、
出力端子が前記副電源の電源端子又は前記副電源の電源電圧を入力して定電圧を出力する第２の定電圧電源回路の出力端子と接続されており、前記主電源の電源電圧と基準電圧とを入力して定電圧をその出力端子から出力する第１の定電圧電源回路と、
主電源の電源電圧が所定の閾値以下になったことを検知して、検知信号を出力する電圧比較器と、
前記検知信号に応じて、前記第１の定電圧電源回路の電源端子、及び／又は前記第１の定電圧電源回路が前記主電源の電源電圧を入力する入力端子を遮断するスイッチと、
を有する電源装置。
【請求項５】
主電源と、
副電源と、
出力端子が前記副電源の電源端子又は前記副電源の電源電圧を入力して定電圧を出力する第２の定電圧電源回路の出力端子と接続されており、前記主電源の電源電圧と基準電圧とを入力して定電圧をその出力端子から出力する第１の定電圧電源回路と、
主電源の電源電圧が所定の閾値以下になったことを検知し、いったん検知すると主電源の電源電圧にかかわらず電源を遮断されるまで検知信号を出力するリセット回路と、
前記検知信号に応じて、前記第１の定電圧電源回路の電源端子、及び／又は前記第１の定電圧電源回路が前記主電源の電源電圧を入力する入力端子を遮断するスイッチと、
を有する電源装置。
【請求項６】
前記副電源の電源電圧を入力して常に定電圧を出力する第２の定電圧電源回路を更に有し、
前記第１の定電圧電源回路の出力端子が前記第２の定電圧電源回路の出力端子と接続される、
請求項４又は請求項５に記載の電源装置。
【請求項７】
主電源と、
副電源と、
出力端子が前記副電源の電源端子と接続されており、前記主電源の電源電圧を入力して定電圧をその出力端子から出力する第１の定電圧電源回路と、
主電源の電源電圧が所定の閾値以下になったことを検知して、第１の検知信号を出力する第１の電圧比較器と、
副電源の電源電圧が所定の閾値以上になったことを検知して、第２の検知信号を出力する第２の電圧比較器と、
前記第１の検知信号及び前記第２の検知信号をいずれも入力しない時、前記主電源の電源端子と前記副電源の電源端子との間の経路を導通させるスイッチと、
を有する電源装置。
【発明の詳細な説明】
【技術分野】
【０００１】
本発明は、電源装置に関する。
【背景技術】
【０００２】
近年、携帯電話・携帯情報端末等はセットの軽量化や部品点数削減によるコストメリット抽出と電源を効率良く利用するために消費電流の削減が不可欠となってきている。また、主電源の電源電圧が所定の閾値以下となった場合に、バックアップに用いられる副電源の電源電圧によって安定した電圧をメモリに供給する技術は欠かすことの出来ない技術となっている。
【０００３】
従来例のバックアップシステム用電源装置（以下従来例１という）の構成を図３に示す。従来例１のバックアップシステム用電源装置は、携帯電話、携帯情報端末等の装置に組み込まれる。従来例１の装置は携帯電話である。従来例１のバックアップシステム用電源装置は、主電源１、副電源２及び電源回路３００を有し、負荷であるメモリ９、ＲＴＣ（リアルタイムクロック）１０、その他の回路１１に電力を供給する。電源回路３００は、基準電圧源３、２３、定電圧源４〜８、ダイオード２４、２５を有する。
【０００４】
主電源１はリチウムイオン電池・ニッケルカドミウム電池など充放電可能な２次電池である。副電源２は充放電可能な小型のコイン型電池である。携帯電話の各回路は通常主電源１から電力を供給されて動作する。主電源１の電源電圧が所定の閾値以下となり、携帯電話の内部機能が動作することができなくなった場合に、副電源２は、一時的に必要なデータを保存するメモリ９や現在時刻を刻むための水晶発振器およびその情報から日付・時刻管理などを行うＲＴＣ１０などに電源供給する。
【０００５】
基準電圧源２３は主電源１を電源とし、一定の基準電圧を出力する。基準電圧源２３は定電圧源４、定電圧源６、定電圧源８の基準電圧源として使用される。基準電圧源２３は、典型的には電源電圧・温度などに対して安定な定電圧源であるバンドギャップリファレンス回路である。
【０００６】
定電圧源４は主電源１を電源とし、基準電圧源２３から基準電圧を入力し、出力端子から一定の電圧を出力する。定電圧源４の出力端子は、ダイオード２４を介して副電源２の電源端子に接続されている。定電圧源４は副電源２を充電する。ダイオード２４は、主電源１の電源電圧が副電源２の電源電圧よりも低くなった場合に副電源２から定電圧源４を介して主電源１に電流が流れないように設けられている。
【０００７】
定電圧源６は主電源１を電源とし、基準電圧源２３から基準電圧を入力し、出力端子から一定の電圧を出力する。定電圧源６の出力端子は、ダイオード２５を介して各種データを保存するために使用されるメモリ９に接続され、データの書き込み、読み出し及び保持のためメモリ９に電源供給を行う。
定電圧源８は主電源１を電源とし、基準電圧源２３から基準電圧を入力し、出力端子から一定の電圧を出力する。定電圧源８の出力端子は、その他の回路１１に接続され、その他の回路１１に電源供給を行う。明細書の記載において、その他の回路１１はメモリ９、ＲＴＣ１０以外の回路を意味し、主電源１のみから電力を供給される。
【０００８】
基準電圧源３は副電源２を電源とし、一定の基準電圧を出力する。基準電圧源３は定電圧源５、定電圧源７の基準電圧源として使用される。基準電圧源３は、典型的には電源電圧・温度などに対して安定な定電圧源であるバンドギャップリファレンス回路である。
【０００９】
定電圧源５は副電源２を電源とし、基準電圧源３から基準電圧を入力し、出力端子から一定の電圧を出力する。定電圧源５の出力端子はメモリ９に接続され、主電源１の電源電圧が副電源２の電源電圧よりも低くなった場合に、メモリ９に対してデータ保持のための電源供給を行う。ダイオード２５は、主電源１の電源電圧が副電源２の電源電圧よりも低くなった場合に副電源２から定電圧源５、定電圧源６を介して主電源１に電流が流れないように設けられている。定電圧源７は副電源２を電源とし、基準電圧源３から基準電圧を入力し、出力端子から一定の電圧を出力する。定電圧源７の出力端子はＲＴＣ１０（リアルタイムクロック）に接続され、ＲＴＣ１０に電源供給を行う。
【特許文献１】特開平２−１９７９１３号公報
【発明の開示】
【発明が解決しようとする課題】
【００１０】
この従来例１のバックアップシステム用電源装置における構成の第１の問題点は、主電源１および副電源２のそれぞれに対して基準電圧源が別個に設けられていることによって、回路規模が大きく、高コストであり、多くの電力を消費していることである。第２の問題点は、副電源２から定電圧源４を介して又は定電圧源４及び基準電圧源２３を介して主電源１へ電流が流れるのを防止するために、定電圧源４の出力端子にダイオード２４を挿入していること、及び定電圧源５の出力端子から定電圧源６を介して、又は定電圧源６及び基準電圧源２３を介して主電源１へ電流が流れるのを防止するために、定電圧源６の出力端子にダイオード２５を挿入していることである。ダイオード２４及び２５を挿入している故に、メモリ９の負荷が大きいときや急激に負荷が変動した際に主電源から副電源に電源が切り換わると、電源電圧が過渡的に安定しない恐れがあった。
【００１１】
本発明は上記課題を解決するものであり、電源装置の部品点数の削減・軽量化、消費電力の削減、及び高い電源効率を実現し、主電源又は副電源から負荷（例えばメモリ９）に安定した電源を供給できる電源装置を提供することを目的とする。
【課題を解決するための手段】
【００１２】
上記課題を解決するために、本発明は下記の構成を有する。請求項１に記載の発明は主電源と、副電源と、主電源の電源電圧と前記副電源の電源電圧とを入力し、どちらか一方の電圧が所定の電圧以上であれば基準電圧を出力する基準電圧源と、前記主電源の電源電圧と前記基準電圧とを入力して定電圧を出力する少なくとも１つの第１の定電圧電源回路と、前記副電源の電源電圧と前記基準電圧とを入力して定電圧を出力する少なくとも１つの第２の定電圧電源回路と、を有する電源装置である。
【００１３】
本発明においては、基準電圧源の共有化により主電源、副電源どちらかの一方の電源が所定の電圧以上であれば基準電圧の出力が可能となる。本発明は、従来例１と比較して、電源装置の部品点数の削減・軽量化、電源装置の消費電力の削減を実現し、高い電源効率の電源装置を実現する。
【００１４】
請求項２に記載の発明は、主電源の電源電圧が所定の閾値以下になったことを検知して、検知信号を出力する電圧比較器と、前記検知信号に応じて、前記第１の定電圧電源回路が前記基準電圧を入力する経路を遮断するスイッチと、を有する請求項１に記載の電源装置である。
【００１５】
本発明においては、基準電圧源の共有化により主電源、副電源どちらかの一方の電源が所定の電圧以上であれば基準電圧の出力が可能となる。本発明は、従来例１と比較して、電源装置の部品点数の削減・軽量化、電源装置の消費電力の削減を実現し、高い電源効率の電源装置を実現する。基準電圧源の共有化により、主電源の電源電圧が閾値以下に低下した時、副電源から第１の定電圧電源回路、基準電圧源を介して主電源にリーク電流が流れる恐れがある。本発明は、リーク電流を防止し、消費電力の削減を実現することができる。本発明においては第１の定電圧電源回路の出力端子にダイオードを挿入する必要がないので、ダイオードによる電力消費がなく、消費電力を削減できる。スイッチで主電源の動作が停止されるので、主電源及び副電源からそれぞれ電源電流が供給されて出力電圧が過渡的に変動する恐れがない。
【００１６】
請求項３に記載の発明は、主電源の電源電圧が所定の閾値以下になったことを検知し、いったん検知すると主電源の電源電圧にかかわらず電源を遮断されるまで検知信号を出力するリセット回路と、前記検知信号に応じて、前記第１の定電圧電源回路が前記基準電圧を入力する経路を遮断するスイッチと、を有する請求項１に記載の電源装置である。
【００１７】
本発明は、基準電圧源の共有化により、主電源の電源電圧が閾値以下に低下した時、副電源から第１の定電圧電源回路、基準電圧源を介して主電源にリーク電流が流れることを防止し、消費電力の削減を実現する。リセット回路を用いることによりいったんスイッチが遮断すると再び導通しないので、負荷が変動して主電源の電圧が閾値近傍で変動した場合にも、定電圧電源の出力電圧が過渡的に変動する恐れはない。本発明においては第１の定電圧電源回路の出力端子にダイオードを挿入する必要がないので、ダイオードによる電力消費がなく、消費電力を削減できる。スイッチで主電源の動作が停止されるので、主電源及び副電源からそれぞれ電源電流が供給されて出力電圧が過渡的に変動する恐れがない。
【００１８】
請求項４に記載の発明は、主電源と、副電源と、出力端子が前記副電源の電源端子又は前記副電源の電源電圧を入力して定電圧を出力する第２の定電圧電源回路の出力端子と接続されており、前記主電源の電源電圧と基準電圧とを入力して定電圧をその出力端子から出力する第１の定電圧電源回路と、主電源の電源電圧が所定の閾値以下になったことを検知して、検知信号を出力する電圧比較器と、前記検知信号に応じて、前記第１の定電圧電源回路の電源端子、及び／又は前記第１の定電圧電源回路が前記主電源の電源電圧を入力する入力端子を遮断するスイッチと、を有する電源装置である。
【００１９】
本発明は、主電源の電源電圧が閾値以下に低下した時、副電源から第１の定電圧電源回路を介して主電源にリーク電流が流れることを防止し、消費電力の削減を実現する。本発明においては第１の定電圧電源回路の出力端子にダイオードを挿入する必要がないので、ダイオードによる電力消費がなく、消費電力を削減できる。主電源と副電源との切換がスイッチで行われるので、主電源及び副電源からそれぞれ電源電流が供給されて出力電圧が過渡的に変動する恐れがない。
【００２０】
請求項５に記載の発明は、主電源と、副電源と、出力端子が前記副電源の電源端子又は前記副電源の電源電圧を入力して定電圧を出力する第２の定電圧電源回路の出力端子と接続されており、前記主電源の電源電圧と基準電圧とを入力して定電圧をその出力端子から出力する第１の定電圧電源回路と、主電源の電源電圧が所定の閾値以下になったことを検知し、いったん検知すると主電源の電源電圧にかかわらず電源を遮断されるまで検知信号を出力するリセット回路と、前記検知信号に応じて、前記第１の定電圧電源回路の電源端子、及び／又は前記第１の定電圧電源回路が前記主電源の電源電圧を入力する入力端子を遮断するスイッチと、を有する電源装置である。
【００２１】
本発明は、主電源の電源電圧が閾値以下に低下した時、副電源から第１の定電圧電源回路を介して主電源にリーク電流が流れることを防止し、消費電力の削減を実現する。本発明においては第１の定電圧電源回路の出力端子にダイオードを挿入する必要がないので、ダイオードによる電力消費がなく、消費電力を削減できる。主電源と副電源との切換がスイッチで行われるので、主電源及び副電源からそれぞれ電源電流が供給されて出力電圧が過渡的に変動する恐れがない。リセット回路を用いることによりいったんスイッチが遮断すると再び導通しないので、負荷が変動して主電源の電圧が閾値近傍で変動した場合にも、定電圧電源の出力電圧が過渡的に変動する恐れはない。
【００２２】
請求項６に記載の発明は、前記副電源の電源電圧を入力して常に定電圧を出力する第２の定電圧電源回路を更に有し、前記第１の定電圧電源回路の出力端子が前記第２の定電圧電源回路の出力端子と接続される、  請求項４又は請求項５に記載の電源装置である。
負荷（例えばメモリ９）は、第１の定電圧回路又は第２の定電圧回路から安定して電源を供給される。本発明によれば、電源装置の消費電力を削減し、高い電源効率を達成し、負荷に安定した電源を供給する電源装置を実現できる。
【００２３】
請求項７の発明は、主電源と、副電源と、出力端子が前記副電源の電源端子と接続されており、前記主電源の電源電圧を入力して定電圧をその出力端子から出力する第１の定電圧電源回路と、主電源の電源電圧が所定の閾値以下になったことを検知して、第１の検知信号を出力する第１の電圧比較器と、副電源の電源電圧が所定の閾値以上になったことを検知して、第２の検知信号を出力する第２の電圧比較器と、前記第１の検知信号及び前記第２の検知信号をいずれも入力しない時、前記主電源の電源端子と前記副電源の電源端子との間の経路を導通させるスイッチと、を有する電源装置である。
【００２４】
本発明によれば、主電源が副電源に充電電流が流れる経路を設け、その経路の導通／遮断を電圧比較器によって制御することにより、確実に電源装置を起動できるようになり、また主電源から副電源への過充電も防止できる。充電電流がこの経路を流れる途中でロスする電力は、電流が定電圧源４を通じて流れる途中でロスする電力よりはるかに小さい。又、主電源により副電源を急速充電することも出来る。本発明により、電源装置の消費電力を削減し、高い電源効率を達成し、負荷（例えばメモリ）に安定した電源を供給する電源装置を実現できる。
【発明の効果】
【００２５】
以上のように本発明によれば、部品点数の削減・軽量化、消費電力の削減、及び高い電源効率を実現し、主電源又は副電源から負荷に安定した電源を供給できる電源装置を実現できるという有利な効果が得られる。
【発明を実施するための最良の形態】
【００２６】
図１に本発明を実施するための最良の形態であるバックアップシステム用電源装置構成を具体的に示した実施の形態について図面とともに記載する。
【００２７】
《実施の形態１》
図１、４〜６を用いて、本発明の実施の形態１におけるバックアップシステム用電源装置の構成を説明する。図１は、実施の形態１のバックアップシステム用電源装置の構成図である。実施の形態１のバックアップシステム用電源装置は、携帯電話、携帯情報端末等の装置に組み込まれる。実施の形態１の装置は携帯電話である。実施の形態１のバックアップシステム用電源装置は、主電源１、副電源２及び電源回路１００を有し、負荷であるメモリ９、ＲＴＣ（リアルタイムクロック）１０、その他の回路１１に電力を供給する。電源回路１００は、基準電圧源３、定電圧源４〜８、コンパレータ（比較器）１２、２１、スイッチ１３〜１６、１９、２０ダイオード１７、１８を有する。
【００２８】
主電源１はリチウムイオン電池・ニッケルカドミウム電池など充放電可能な２次電池である。副電源２は充放電可能な小型のコイン型電池である。携帯電話の各回路は通常主電源１から電力を供給されて動作する。主電源１の電源電圧が所定の閾値以下となり、携帯電話の内部機能が動作することができなくなった場合に、副電源２は、一時的に必要なデータを保存するメモリ９や現在時刻を刻むための水晶発振器およびその情報から日付・時刻管理などを行うＲＴＣ１０などに電源供給する。
【００２９】
基準電圧源３は主電源１からダイオード１７を介して、副電源２からダイオード１８を介してどちらからも電源が供給されるようになっており、一定の基準電圧を出力する。基準電圧源３は定電圧源４、定電圧源５、定電圧源６、定電圧源８の基準電圧源として使用される。基準電圧源３は、典型的には電源電圧・温度などに対して安定な定電圧源であるバンドギャップリファレンス回路である。なお、ダイオード１７、１８に流れる電流は非常に小さく、その電力ロスは問題にならない。
【００３０】
ダイオード１７、ダイオード１８の代わりに図６に示すようなスタータ回路を用いることもできる。図６において、トランジスタ３８、３７はそれぞれ主電源１、副電源２から電源供給され、略一定の電圧を基準電圧源３に供給する。主電源１の出力電圧が低下すると、トランジスタ３８のベース電位が低下し、トランジスタ３８は遮断する。この場合、副電源２からトランジスタ３７を通じて基準電圧源３に電力が供給される。
【００３１】
定電圧源４は主電源１からスイッチ１３を介して電源供給され、基準電圧源３から基準電圧を入力し、出力端子から一定の電圧を出力する。定電圧源４の出力端子は副電源２に直接接続されている。定電圧源４は副電源２を充電するために使用される。
コンパレータ１２は、主電源１の電源電圧が基準電圧源３よりも低くなったことを検知し、第１の検知信号を出力する。スイッチ１３はコンパレータ１２が出力する第１の検知信号によって制御される。第１の検知信号が入力されるとスイッチ１３は開放状態となり、副電源２から主電源１に電流が流れないようにする。
【００３２】
定電圧源６は主電源１を電源とし、基準電圧源３からスイッチ１５を介して基準電圧を入力し、出力端子から一定の電圧を出力する。定電圧源６の出力端子は、スイッチ１４を介して各種データを保存するために使用されるメモリ９に接続され、データの書き込み、読み出し及び保持のためメモリ９に電源供給を行う。
スイッチ１４はコンパレータ１２が出力する第１の検知信号によって制御される。主電源１の電源電圧が基準電圧源３よりも低くなると、コンパレータ１２が第１の検知信号を出力し、スイッチ１４が開放状態となり、副電源２から定電圧源６を介して主電源１に電流が流れないようにする。
【００３３】
スイッチ１５は、コンパレータ１２が出力する第１の検知信号によって制御される。主電源１の電源電圧が基準電圧源３よりも低くなると、コンパレータ１２が第１の検知信号を出力し、スイッチ１５が開放状態となり、基準電圧源３から定電圧源６を介して主電源１にリーク電流が流れないようにする。
【００３４】
図４、図５を用いて、基準電圧源３から定電圧源６を介してリーク電流の発生する現象及びスイッチ１５によってリーク電流が防止されることを説明する。図４において基準電圧源３は副電源２を電源とし、一定の基準電圧を定電圧源６に供給する。定電圧源６は、ＮＰＮトランジスタ、ＰＮＰトランジスタ３０、３１、抵抗２９、定電圧源を有する。
【００３５】
基準電圧源３が出力する基準電圧は、ＮＰＮトランジスタのベース２６に供給される。ＮＰＮトランジスタのエミッタ２８は抵抗２９、定電圧源を介して接地されている。ＮＰＮトランジスタのコレクタ２７は、ＰＮＰトランジスタ３０、３１で構成されるカレントミラー回路に接続されている。ＰＮＰトランジスタ３０のベース及びコレクタとＰＮＰトランジスタ３１のベースが接続されている。ＰＮＰトランジスタ３０のエミッタとＰＮＰトランジスタ３１のエミッタは主電源１に接続されている。カレントミラー回路は、主電源１から電源供給され、ＮＰＮトランジスタのコレクタ電流によって制御され、ＰＮＰトランジスタ３１のコレクタから一定の電圧を出力する。
【００３６】
図５は上記のＮＰＮトランジスタの半導体構造を示している。ベース２６・コレクタ２７・エミッタ２８はそれぞれＮ層・Ｐ層・Ｎ層に対応しており、この構造においてベース２６、コレクタ２７、Ｐ−ＳｕｂつまりＰ層の基板をそれぞれエミッタ・ベース・コレクタとする寄生のＰＮＰトランジスタ３２が存在する。主電源１の電圧が低下しＮＰＮトランジスタのコレクタ２７の電圧がベース２６の電圧よりも低くなると寄生のＰＮＰトランジスタ３２が動作を始めてベース２６からＰ−Ｓｕｂへ電流が流れる。すなわち副電源２から基準電圧源３を介してＮＰＮトランジスタのベース２６を介してＰ−Ｓｕｂへとリーク電流が流れることとなる。実施の形態１においては、主電源１の電源電圧が基準電圧源３よりも低くなると、コンパレータ１２が第１の検知信号を出力し、スイッチ１５が開放状態となり、寄生トランジスタにリーク電流が流れないようにする。
【００３７】
定電圧源８は主電源１を電源とし、基準電圧源３から基準電圧を入力し、出力端子から一定の電圧を出力する。定電圧源８の出力端子は、その他の回路１１に接続され、その他の回路１１に電源供給を行う。
【００３８】
定電圧源５は副電源２を電源とし、基準電圧源３から基準電圧を入力し、出力端子から一定の電圧を出力する。定電圧源５の出力端子はメモリ９に接続され、主電源１の電源電圧が副電源２の電源電圧よりも低くなった場合に、メモリ９に対してデータ保持のための電源供給を行う。定電圧源７は副電源２を電源とし、基準電圧源３から基準電圧を入力し、出力端子から一定の電圧を出力する。定電圧源７の出力端子はＲＴＣ１０（リアルタイムクロック）に接続され、ＲＴＣ１０に電源供給を行う。
【００３９】
主電源１と副電源２間にスイッチ１９、２０を設けている。コンパレータ２１は、副電源２の電源電圧が定電圧源４の出力電圧よりも高くなったことを検知し、第２の検知信号を出力する。主電源１の電源電圧低下を監視するコンパレータ１２が第１の検知信号を出力する時、スイッチ１９が開放状態となり、それ以外の時導通状態となる。副電源２の電圧上昇を監視するコンパレータ２１が第２の検知信号を出力する時、スイッチ２０が開放状態となり、それ以外の時導通状態となる。
【００４０】
主電源１の電源電圧が閾値以上で、副電源２の電源電圧が閾値以下であれば、スイッチ１９、２０は導通し、主電源１から副電源２に充電電流が流れる。この構成により、副電源２の電源電圧が非常に低くなった場合にもシステムを確実に起動できる。コンパレータ２１は副電源２の電源電圧が所定の閾値以上にならないよう、すなわち副電源２の過充電を防止するために設けている。
【００４１】
《実施の形態２》
図２を用いて、本発明の実施の形態２におけるバックアップシステム用電源装置の構成を説明する。図２は、実施の形態２のバックアップシステム用電源装置の構成図である。実施の形態２のバックアップシステム用電源装置は、携帯電話、携帯情報端末等の装置に組み込まれる。実施の形態２の装置は携帯電話である。実施の形態２のバックアップシステム用電源装置は、主電源１、副電源２及び電源回路２００を有し、負荷であるメモリ９、ＲＴＣ（リアルタイムクロック）１０、その他の回路１１に電力を供給する。電源回路２００は、基準電圧源３、定電圧源４〜８、コンパレータ（比較器）２１、スイッチ１３〜１６、１９、２０ダイオード１７、１８、リセット回路２２を有する。実施の形態２のバックアップシステム用電源装置は、コンパレータ１２に代えてリセット回路２２を有する点で、実施の形態１と異なる。それ以外の点で、両者は同一である。
【００４２】
リセット回路２２は、主電源１の電源電圧が基準電圧源３よりも低くなったことを検知し、第１の検知信号を出力する。リセット回路２２は、いったん第１の検知信号を出力すると、主電源１の電源電圧が閾値以下か否かにかかわらず、リセット回路２２への電源供給が遮断されるまで、第１の検知信号を出力する。実施の形態２の構成により、実施の形態１と同様の効果が得られる他、主電源１の電源電圧がコンパレータ１２の閾値近傍で変動しても、主電源１により電力供給される定電圧源６と、副電源２により電力供給される定電圧源５と、の両方からメモリ９に供給する電源電圧が過渡的に変動を繰り返すことを防止できる。
【産業上の利用可能性】
【００４３】
本発明は、バックアップシステム用電源装置に利用可能である。
【図面の簡単な説明】
【００４４】
【図１】本発明の実施の形態１の電源装置の構成図
【図２】本発明の実施の形態２の電源装置の構成図
【図３】従来例１の電源装置の構成図
【図４】本発明の実施の形態１の定電圧源６の詳細な回路図
【図５】図４のＮＰＮトランジスタの断面構造図
【図６】本発明の実施の形態１におけるスタータ回路図
【符号の説明】
【００４５】
１    主電源
２    副電源
３、２３    基準電圧源
４、５、６、７、８    定電圧源
９    メモリ
１０  ＲＴＣ（リアルタイムクロック）
１１  その他の回路
１２、２１  コンパレータ（電圧比較器）
１３、１４、１５、１６、１９、２０  スイッチ
１７、１８、２４、２５、３４、３５、３６、４０、４１、４２  ダイオード
２２  リセット回路
２６  ベース
２７  コレクタ
２８  エミッタ
２９、３３、３９  抵抗
３０、３１  ＰＮＰトランジスタ
３２  寄生ＰＮＰトランジスタ
３７、３８  ＮＰＮトランジスタ
１００、２００、３００  電源回路
【図１】
2005348503.tif 000003
【図２】
2005348503.tif 000004
【図３】
2005348503.tif 000005
【図４】
2005348503.tif 000006
【図５】
2005348503.tif 000007
【図６】
2005348503.tif 000008